(57)【特許請求の範囲】
【請求項１】
ディスプレーと、
複数のキーと、
第１設定値を第２設定値に変更する旨の第１操作を受け付ける受付部と、
前記第２設定値に変更する旨のメッセージを前記ディスプレーに表示する表示制御部と、
前記複数のキーのうちの特定キーに対する第２操作を検出する検出部と、
前記第２設定値を前記第１設定値に戻す設定制御部と
を備え、
前記表示制御部が前記メッセージを表示している状態で、前記第２操作を前記検出部が検出した場合に、前記設定制御部は、前記第２設定値を前記第１設定値に戻し、
前記表示制御部が前記メッセージを表示している状態で、前記第１操作及び前記第２操作と相違する第３操作を前記受付部が受け付けた場合に、前記設定制御部は、前記第１設定値を前記第２設定値に変更し、
前記表示制御部が前記メッセージを表示している状態で、前記第１操作及び前記第２操作と相違する前記第３操作をさらに前記受付部が受け付けた場合に、前記設定制御部は、前記第１設定値を前記第２設定値に変更しない、表示制御装置。
【請求項２】
ディスプレーと、
複数のキーと、
第１設定値を第２設定値に変更する旨の第１操作を受け付ける受付部と、
前記第２設定値に変更する旨のメッセージを前記ディスプレーに表示する表示制御部と、
前記複数のキーのうちの特定キーに対する第２操作を検出する検出部と、
前記第２設定値を前記第１設定値に戻す設定制御部と
を備え、
前記表示制御部が前記メッセージを表示している状態で、前記第２操作を前記検出部が検出した場合に、前記設定制御部は、前記第２設定値を前記第１設定値に戻し、
前記表示制御部が前記メッセージを表示している状態で、前記ディスプレーの前記メッセージが表示されている部分へのタッチ操作を前記受付部が受け付けた場合に、前記設定制御部は、前記第１設定値を前記第２設定値に変更し、
前記表示制御部が前記メッセージを表示している状態で、前記ディスプレーの前記メッセージが表示されている前記部分へのさらなる前記タッチ操作を前記受付部が受け付けた場合に、前記設定制御部は、前記第１設定値を前記第２設定値に変更しない、表示制御装置。
【請求項３】
ディスプレーと、
複数のキーと、
制御部と
を備え、
前記制御部は、
第１設定値を第２設定値に変更する旨の第１操作を受け付ける受付部と、
前記第２設定値に変更する旨のメッセージを前記ディスプレーに表示する表示制御部と、
前記複数のキーのうちの特定キーに対する第２操作を検出する検出部と、
前記第２設定値を前記第１設定値に戻す設定制御部と
を備え、
前記表示制御部が前記メッセージを表示している状態で、前記第２操作を前記検出部が検出した場合に、前記設定制御部は、前記第２設定値を前記第１設定値に戻し、
前記表示制御部が前記メッセージを表示している状態で、前記第１操作及び前記第２操作と相違する第３操作を前記受付部が受け付けた場合に、前記設定制御部は、前記第１設定値を前記第２設定値に変更し、
前記表示制御部が前記メッセージを表示している状態で、前記第１操作及び前記第２操作と相違する前記第３操作をさらに前記受付部が受け付けた場合に、前記設定制御部は、前記第１設定値を前記第２設定値に変更しない、電子機器。
【請求項４】
ディスプレーと、
複数のキーと、
制御部と
を備え、
前記制御部は、
第１設定値を第２設定値に変更する旨の第１操作を受け付ける受付部と、
前記第２設定値に変更する旨のメッセージを前記ディスプレーに表示する表示制御部と、
前記複数のキーのうちの特定キーに対する第２操作を検出する検出部と、
前記第２設定値を前記第１設定値に戻す設定制御部と
を備え、
前記表示制御部が前記メッセージを表示している状態で、前記第２操作を前記検出部が検出した場合に、前記設定制御部は、前記第２設定値を前記第１設定値に戻し、
前記表示制御部が前記メッセージを表示している状態で、前記ディスプレーの前記メッセージが表示されている部分へのタッチ操作を前記受付部が受け付けた場合に、前記設定制御部は、前記第１設定値を前記第２設定値に変更し、
前記表示制御部が前記メッセージを表示している状態で、前記ディスプレーの前記メッセージが表示されている前記部分へのさらなる前記タッチ操作を前記受付部が受け付けた場合に、前記設定制御部は、前記第１設定値を前記第２設定値に変更しない、電子機器。
【請求項５】
前記表示制御部は、所定期間だけ前記メッセージを前記ディスプレーに表示し、
前記表示制御部が前記メッセージの表示を終了した場合に、前記設定制御部は、前記第１設定値を前記第２設定値に変更する、請求項１または請求項２に記載の表示制御装置。
【請求項６】
前記表示制御部は、複数の設定項目の各々の設定値を表示する設定表示画面を前記ディスプレーに表示し、
前記第１操作は、前記複数の設定項目のうちの１つの設定項目の設定値を、前記第１設定値から前記第２設定値に変更する旨の操作を示す、請求項１または請求項２に記載の表示制御装置。
【請求項７】
前記表示制御部が前記メッセージを表示していない状態で、前記第２操作を前記検出部が検出した場合に、前記設定制御部は、前記複数の設定項目の各々の設定値を初期値に変更する、請求項６に記載の表示制御装置。
【請求項８】
前記ディスプレーの表示面上に配置されるタッチセンサーをさらに備え、
前記特定キーは、特定のソフトキーである、請求項１または請求項２に記載の表示制御装置。
【請求項９】
前記複数のキーの各々は、ソフトキーである、請求項８に記載の表示制御装置。
【請求項１０】
前記特定キーは、リセットキーである、請求項１または請求項２に記載の表示制御装置。
【請求項１１】
前記表示制御部は、所定期間だけ前記メッセージを前記ディスプレーに表示し、
前記表示制御部が前記メッセージの表示を終了した場合に、前記設定制御部は、前記第１設定値を前記第２設定値に変更する、請求項３または請求項４に記載の電子機器。
【請求項１２】
前記表示制御部は、複数の設定項目の各々の設定値を表示する設定表示画面を前記ディスプレーに表示し、
前記第１操作は、前記複数の設定項目のうちの１つの設定項目の設定値を、前記第１設定値から前記第２設定値に変更する旨の操作を示す、請求項３または請求項４に記載の電子機器。
【請求項１３】
前記表示制御部が前記メッセージを表示していない状態で、前記第２操作を前記検出部が検出した場合に、前記設定制御部は、前記複数の設定項目の各々の設定値を初期値に変更する、請求項１２に記載の電子機器。
【請求項１４】
前記ディスプレーの表示面上に配置されるタッチセンサーをさらに備え、
前記特定キーは、特定のソフトキーである、請求項３または請求項４に記載の電子機器。
【請求項１５】
前記複数のキーの各々は、ソフトキーである、請求項１４に記載の電子機器。
【請求項１６】
前記特定キーは、リセットキーである、請求項３または請求項４に記載の電子機器。
【発明の詳細な説明】
【技術分野】
【０００１】
本発明は、表示制御装置、及び電子機器に関する。
【背景技術】
【０００２】
特許文献１に記載の画像形成装置は、制御部と、ディスプレーと、タッチセンサーとを備える。ディスプレーは、処理対象となる項目を表示する。タッチセンサーは、ディスプレーに重ねて設けられ、操作者の接触位置を検知する。タッチセンサーによっていずれかの項目に対応する位置に操作者がタッチした場合に、制御部は、タッチした位置に対応する項目に係るディスプレー上の領域に、キャンセルボタンをディスプレーに表示させる。キャンセルボタンは、項目の選択を取り消すボタンを示す。
【先行技術文献】
【特許文献】
【０００３】
【特許文献１】特開２００８−１８６３２９号公報
【発明の概要】
【発明が解決しようとする課題】
【０００４】
特許文献１に記載の画像形成装置によれば、項目の選択を誤った場合における取り消し操作の操作性を向上できる。しかしながら、設定値を変更する操作における操作性に関して改善の余地がある。【０００５】
本発明は、上記課題に鑑みてなされたものであり、設定値を変更する操作における操作性を向上可能な表示制御装置、及び電子機器を提供することを目的としている。
【課題を解決するための手段】
【０００６】
本発明に係る表示制御装置は、ディスプレーと、複数のキーと、受付部と、表示制御部と、検出部と、設定制御部とを備える。前記受付部は、第１設定値を第２設定値に変更する旨の第１操作を受け付ける。前記表示制御部は、前記第２設定値に変更する旨のメッセージを前記ディスプレーに表示する。前記検出部は、前記複数のキーのうちの特定キーに対する第２操作を検出する。前記設定制御部は、前記第２設定値を前記第１設定値に戻す。前記表示制御部が前記メッセージを表示している状態で、前記第２操作を前記検出部が検出した場合に、前記設定制御部は、前記第２設定値を前記第１設定値に戻す。【０００７】
本発明に係る電子機器は、ディスプレーと、複数のキーと、制御部とを備える。前記制御部は、電子機器の動作を制御する。前記制御部は、受付部と、表示制御部と、検出部と、設定制御部とを備える。前記受付部は、第１設定値を第２設定値に変更する旨の第１操作を受け付ける。前記表示制御部は、前記第２設定値に変更する旨のメッセージを前記ディスプレーに表示する。前記検出部は、前記複数のキーのうちの特定キーに対する第２操作を検出する。前記設定制御部は、前記第２設定値を前記第１設定値に戻す。前記表示制御部が前記メッセージを表示している状態で、前記第２操作を前記検出部が検出した場合に、前記設定制御部は、前記第２設定値を前記第１設定値に戻す。
【発明の効果】
【０００８】
本発明に係る表示制御装置、及び電子機器によれば、設定値を変更する操作における操作性を向上できる。
【図面の簡単な説明】
【０００９】
【図１】本発明の実施形態に係る画像形成装置の構成の一例を示す図である。
【図２】本発明の実施形態に係る操作パネルの構成の一例を示す図である。
【図３】第１状態におけるコピー設定画面の一例を示す画面図である。
【図４】第２状態におけるコピー設定画面の一例を示す画面図である。
【図５】第３状態におけるコピー設定画面の一例を示す画面図である。
【図６】本発明の実施形態に係る制御部の構成の一例を示す図である。
【図７】第４状態におけるコピー設定画面の一例を示す画面図である。
【図８】制御部の処理の一例を示すフローチャートである。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
まず、図１を参照して、本発明の実施形態に係る画像形成装置１００の構成について説明する。図１は、画像形成装置１００の構成の一例を示す図である。画像形成装置１００は、カラー複合機である。画像形成装置１００は、「電子機器」の一例に相当する。
【００１２】
図１に示すように、画像形成装置１００は、画像形成ユニット１、画像読取ユニット２、原稿搬送ユニット３、操作パネル４及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル４は、ユーザーからの操作を受け付ける。制御部５は、画像形成装置１００の動作を制御する。
【００１３】
画像形成ユニット１は、給送部１２、搬送部Ｌ、トナー供給部１３、画像形成部１４、定着部１６及び排出部１７を備える。画像形成部１４は、転写部１５を含む。
【００１４】
給送部１２は、用紙Ｐを搬送部Ｌへ供給する。搬送部Ｌは、用紙Ｐを転写部１５及び定着部１６を経由して排出部１７まで搬送する。
【００１５】
トナー供給部１３には、トナーコンテナが装着される。トナーコンテナは、画像形成部１４にトナーを供給する。画像形成部１４は、用紙Ｐに画像を形成する。
【００１６】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１７】
定着部１６は、用紙Ｐを加熱及び加圧し、用紙Ｐに形成された画像を用紙Ｐに定着する。排出部１７は、用紙Ｐを画像形成装置１００の外部へ排出する。
【００１８】
制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶する。制御部５は、「表示制御装置」の一部を構成する。
【００１９】
次に、図１及び図２を参照して、本発明の実施形態に係る操作パネル４の構成について説明する。図２は、操作パネル４の構成の一例を示す図である。図２に示すように、操作パネル４は、タッチパネル４１と、複数のキー４２とを備える。
【００２０】
タッチパネル４１は、ディスプレー４１１及びタッチセンサー４１２を備える。ディスプレー４１１は、例えば、ＬＣＤ（Ｌｉｑｕｉｄ  Ｃｒｙｓｔａｌ  Ｄｉｓｐｌａｙ）を備え、種々の画像を表示する。タッチセンサー４１２は、ユーザーからの操作を受け付ける。タッチセンサー４１２は、例えばディスプレー４１１の表示面上に配置される。ディスプレー４１１は、「表示制御装置」の一部を構成する。
【００２１】
複数のキー４２の各々は、ユーザーからの押下操作を受け付ける。複数のキー４２の各々は、操作信号を生成する。操作信号は、制御部５に伝送される。複数のキー４２は、リセットキー４２１を含む。複数のキー４２は、「表示制御装置」の一部を構成する。
【００２２】
リセットキー４２１は、設定をリセットする場合に、ユーザーによって押下される。リセットキー４２１は、「特定キー」の一例に相当する。
【００２３】
以上、図１及び図２を参照して説明したように、「表示制御装置」は、ディスプレー４１１と、複数のキー４２と、制御部５とを備える。本発明の実施形態では、「表示制御装置」は、画像形成装置１００に配置される。
【００２４】
なお、本発明の実施形態では、リセットキー４２１が「特定キー」として機能するが、本発明はこれに限定されない。「特定キー」は、複数のキー４２のうちの１つのキーであればよい。例えば、「特定キー」がシャープ（＃）キーでもよい。「特定キー」は、ユーザーが見つけ易い位置に配置されるキーであることが好ましい。
【００２５】
次に、図１〜図３を参照して、第１状態ＳＴ１におけるコピー設定画面６００について説明する。図３は、第１状態ＳＴ１におけるコピー設定画面６００の一例を示す画面図である。コピー設定画面６００は、ディスプレー４１１に表示される。コピー設定画面６００は、コピー処理に関する条件を設定する場合にディスプレー４１１に表示される。コピー処理に関する条件は、第１条件Ｃ１、第２条件Ｃ２、第３条件Ｃ３及び第４条件Ｃ４を含む。コピー設定画面６００は、「設定表示画面」の一例に相当する。第１条件Ｃ１、第２条件Ｃ２、第３条件Ｃ３及び第４条件Ｃ４は、「複数の設定項目」の一例に相当する。
【００２６】
図３に示すように、コピー設定画面６００は、第１条件設定部６０１、第２条件設定部６０２、第３条件設定部６０３及び第４条件設定部６０４を含む。
【００２７】
第１条件設定部６０１は、第１条件Ｃ１の設定値を変更する場合に、ユーザーによって操作される。第１条件Ｃ１の設定値は、オンとオフとを含む。オンは、「第１設定値」の一例に相当する。オフは、「第２設定値」の一例に相当する。第１状態ＳＴ１では、第１条件Ｃ１はオンに設定されている。
【００２８】
第２条件設定部６０２は、第２条件Ｃ２の設定値を変更する場合に、ユーザーによって操作される。第２条件Ｃ２の設定値は、オンとオフとを含む。オンは、「第１設定値」の一例に相当する。オフは、「第２設定値」の一例に相当する。第１状態ＳＴ１では、第２条件Ｃ２はオンに設定されている。
【００２９】
第３条件設定部６０３は、第３条件Ｃ３の設定値を変更する場合に、ユーザーによって操作される。第３条件Ｃ３の設定値は、オンとオフとを含む。オンは、「第１設定値」の一例に相当する。オフは、「第２設定値」の一例に相当する。第１状態ＳＴ１では、第３条件Ｃ３はオンに設定されている。
【００３０】
第４条件設定部６０４は、第４条件Ｃ４の設定値を変更する場合に、ユーザーによって操作される。第４条件Ｃ４の設定値は、オンとオフとを含む。オンは、「第１設定値」の一例に相当する。オフは、「第２設定値」の一例に相当する。第１状態ＳＴ１では、第４条件Ｃ４はオフに設定されている。
【００３１】
なお、本発明の実施形態では、設定表示画面がコピー設定画面６００であるが、本発明はこれに限定されない。設定表示画面が複数の設定項目の各々の設定値を表示すればよい。設定表示画面が、例えば、ファクシミリの送信条件を表示する画面でもよい。
【００３２】
次に、図１〜図４を参照して、第２状態ＳＴ２におけるコピー設定画面６００について説明する。図４は、第２状態ＳＴ２におけるコピー設定画面６００の一例を示す画面図である。第２状態ＳＴ２は、図３に示す第１状態ＳＴ１のコピー設定画面６００において、第２条件設定部６０２がタッチされた状態を示す。
【００３３】
図４に示すように、例えばユーザーの手Ｈの人差し指によって、第２条件設定部６０２がタッチされている。第２条件設定部６０２にタッチする操作は、第２条件Ｃ２の設定値をオンからオフに変更する操作である。第２条件設定部６０２にタッチする操作は、「第１操作」の一例に相当する。第２条件設定部６０２がタッチされると、第２状態ＳＴ２におけるコピー設定画面６００には、第２条件Ｃ２の設定値としてオフが選択されていることを示すマークＢＦが表示される。マークＢＦは、本発明の実施形態では、オフ（ＯＦＦ）を示すテキスト画像を囲む楕円画像に対応する。
【００３４】
次に、図１〜図５を参照して、第３状態ＳＴ３におけるコピー設定画面６００について説明する。図５は、第３状態ＳＴ３におけるコピー設定画面６００の一例を示す画面図である。第３状態ＳＴ３は、図４に示す第２状態ＳＴ２のコピー設定画面６００において、第２条件設定部６０２へのユーザーのタッチが制御部５によって受け付けられた状態を示す。
【００３５】
図５に示すように、第３状態ＳＴ３におけるコピー設定画面６００には、メッセージ表示部ＭＧが表示される。メッセージ表示部ＭＧは、第２条件Ｃ２の設定値をオンからオフに変更する旨を表示する。例えば、メッセージ表示部ＭＧには、メッセージとして「第２設定値をＯＦＦに変更しました。」が表示される。
【００３６】
次に、図１〜図６を参照して、本発明の実施形態に係る制御部５の構成について説明する。図６は、制御部５の構成の一例を示す図である。図６に示すように、制御部５は、受付部５０１と、表示制御部５０２と、検出部５０３と、設定制御部５０４とを備える。具体的には、制御部５のプロセッサー５１が制御プログラムを実行することによって、受付部５０１、表示制御部５０２、検出部５０３及び設定制御部５０４として機能する。
【００３７】
受付部５０１は、第１設定値Ｖ１を第２設定値Ｖ２に変更する旨の第１操作ＱＰ１を受け付ける。第１操作ＱＰ１は、図４を参照して説明したように、例えば第２条件設定部６０２にタッチする操作を示す。第１設定値Ｖ１は、第２条件Ｃ２のオンに対応する。第２設定値Ｖ２は第２条件Ｃ２のオフに対応する。
【００３８】
表示制御部５０２は、第２設定値Ｖ２に変更する旨のメッセージをディスプレー４１１に表示する。具体的には、表示制御部５０２は、第２設定値Ｖ２に変更する旨のメッセージを所定期間ＰＡだけディスプレー４１１に表示する。所定期間ＰＡは、例えば、５秒間である。第２設定値Ｖ２に変更する旨のメッセージは、例えば図５に示すメッセージ表示部ＭＧに表示されたメッセージに対応する。
【００３９】
検出部５０３は、リセットキー４２１に対する第２操作ＱＰ２を検出する。具体的には、第２操作ＱＰ２は、リセットキー４２１を押下する操作を示す。
【００４０】
設定制御部５０４は、第２条件Ｃ２の設定値を第２設定値Ｖ２から第１設定値Ｖ１に戻す。具体的には、表示制御部５０２が図５に示すメッセージ表示部ＭＧを表示している状態で、第２操作ＱＰ２を検出部５０３が検出した場合に、設定制御部５０４は、第２条件Ｃ２の設定値を第２設定値Ｖ２から第１設定値Ｖ１に戻す。
【００４１】
また、設定制御部５０４は、表示制御部５０２が図５に示すメッセージ表示部ＭＧを表示している状態で、第２条件設定部６０２にタッチ操作がなされた後、所定時間内に、第２条件設定部６０２にさらにタッチ操作がなされた場合に、設定制御部５０４は、第２条件Ｃ２の設定値を第２設定値Ｖ２から第１設定値Ｖ１に戻してもよい。また、この場合、設定制御部５０４は、第２条件Ｃ２の設定値を第１設定値Ｖ１から変更しないようにしてもよい。
【００４２】
また、設定制御部５０４は、表示制御部５０２が図５に示すメッセージ表示部ＭＧを表示している状態で、ディスプレー４１１のメッセージが表示されている部分、すなわち、メッセージ表示部ＭＧに、タッチ操作がなされた場合に、設定制御部５０４は、第２条件Ｃ２の設定値を第１設定値Ｖ１から第２設定値Ｖ２に変更してもよい。
【００４３】
また、設定制御部５０４は、表示制御部５０２が図５に示すメッセージ表示部ＭＧを表示している状態で、ディスプレー４１１のメッセージが表示されている部分、すなわち、メッセージ表示部ＭＧにタッチ操作がなされたあと、所定時間内に、メッセージ表示部ＭＧにさらにタッチ操作がなされた場合に、設定制御部５０４は、第２条件Ｃ２の設定値を第２設定値Ｖ２から第１設定値Ｖ１に戻してもよい。また、この場合、設定制御部５０４は、第２条件Ｃ２の設定値を第１設定値Ｖ１から変更しないようにしてもよい。
【００４４】
また、所定期間ＰＡが経過して、表示制御部５０２が第２設定値Ｖ２に変更する旨のメッセージの表示を終了した場合に、設定制御部５０４は、第２条件Ｃ２の設定値を第１設定値Ｖ１から第２設定値Ｖ２に変更する。
【００４５】
以上、図１〜図６を参照して説明したように、本発明の実施形態では、表示制御部５０２がメッセージ表示部ＭＧを表示している状態で、第２操作ＱＰ２を検出した場合に、設定制御部５０４は、第２条件Ｃ２の設定値を第２設定値Ｖ２から第１設定値Ｖ１に戻す。よって、簡単な操作で第２条件Ｃ２の設定値を第２設定値Ｖ２から第１設定値Ｖ１に戻すことができる。したがって、設定値を変更する操作における操作性を向上できる。
【００４６】
また、表示制御部５０２が第２設定値Ｖ２に変更する旨のメッセージの表示を終了した場合に、設定制御部５０４は、第２条件Ｃ２の設定値を第１設定値Ｖ１から第２設定値Ｖ２に変更する。よって、所定期間ＰＡが経過すると第１設定値Ｖ１が第２設定値Ｖ２に変更される。したがって、設定値を変更する操作における操作性をさらに向上できる。
【００４７】
なお、本発明の実施形態では、第１設定値Ｖ１から第２設定値Ｖ２に変更する設定値がコピー処理に関する条件の設定値であるが、本発明はこれに限定されない。第１設定値Ｖ１から第２設定値Ｖ２に変更する設定値が、画像形成装置１００の処理に関する設定値であればよい。第１設定値Ｖ１から第２設定値Ｖ２に変更する設定値が、例えば、画像形成装置１００のファクシミリ送信処理の設定値でもよい。
【００４８】
また、本発明の実施形態では、第２条件Ｃ２の設定値を第１設定値Ｖ１から第２設定値Ｖ２に変更するが、本発明はこれに限定されない。第１条件Ｃ１〜第４条件Ｃ４のうちのいずれか１つの設定値を第１設定値Ｖ１から第２設定値Ｖ２に変更すればよい。例えば、第３条件Ｃ３の設定値を第１設定値Ｖ１から第２設定値Ｖ２に変更してもよい。
【００４９】
また、本発明の実施形態では、第２操作ＱＰ２は、リセットキー４２１を押下する操作を示すが、本発明はこれに限定されない。第２操作ＱＰ２が、ディスプレー４１１に表示されるソフトキーにタッチする操作でもよい。この場合には、特定キーとしてハードキーを備える必要がない。したがって、画像形成装置１００の操作パネル４の構成を簡素化できる。
【００５０】
また、本発明の実施形態では、複数のキー４２の各々がハードウェアキーであるが、本発明はこれに限定されない。複数のキー４２の各々がソフトキーでもよい。この場合には、複数のキー４２の各々としてハードウェアキーを備える必要がない。したがって、画像形成装置１００の操作パネル４の構成を簡素化できる。
【００５１】
次に、図３〜図７を参照して、第４状態ＳＴ４におけるコピー設定画面６００について説明する。図７は、第４状態ＳＴ４におけるコピー設定画面６００の一例を示す画面図である。第４状態ＳＴ４のコピー設定画面６００は、図３に示す第１状態ＳＴ１のコピー設定画面６００がディスプレー４１１に表示されているときに、第２操作ＱＰ２を検出部５０３が検出した場合に、表示制御部５０２によってディスプレー４１１に表示される。
【００５２】
図７に示すように、第４状態ＳＴ４におけるコピー設定画面６００では、第４条件設定部６０４に表示される第４条件Ｃ４は、オンに設定されている。すなわち、コピー設定画面６００に表示されている第１条件Ｃ１〜第４条件Ｃ４の各々が第１設定値Ｖ１に設定されている。
【００５３】
一方、第１条件Ｃ１〜第４条件Ｃ４の各々の設定値の初期値Ｖ０は、第１設定値Ｖ１である。すなわち、図７に示すコピー設定画面６００に表示されている第１条件Ｃ１〜第４条件Ｃ４は、全て初期値Ｖ０に設定されている。
【００５４】
次に、制御部５が第４状態ＳＴ４におけるコピー設定画面６００を表示する処理について説明する。図３に示す第１状態ＳＴ１のコピー設定画面６００には、メッセージ表示部ＭＧが表示されていない。このように、メッセージ表示部ＭＧが表示されていない状態で、第２操作ＱＰ２を検出部５０３が検出した場合に、設定制御部５０４は、第１条件Ｃ１〜第４条件Ｃ４の各々の設定値を初期値Ｖ０に変更する。そして、表示制御部５０２は、第４状態ＳＴ４におけるコピー設定画面６００を表示する。
【００５５】
以上、図３〜図７を参照して説明したように、本発明の実施形態では、表示制御部５０２がメッセージ表示部ＭＧを表示していない状態で、第２操作ＱＰ２を検出部５０３が検出した場合に、設定制御部５０４は、第１条件Ｃ１〜第４条件Ｃ４の各々の設定値を初期値Ｖ０に変更する。よって、第１条件Ｃ１〜第４条件Ｃ４の各々の設定値を容易に初期値Ｖ０に変更できる。したがって、設定値を変更する操作における操作性をさらに向上できる。
【００５６】
なお、本発明の実施形態では、図３に示す第１状態ＳＴ１のコピー設定画面６００がディスプレー４１１に表示されているときに、検出部５０３が第２操作ＱＰ２を検出するが、本発明はこれに限定されない。表示制御部５０２がメッセージ表示部ＭＧを表示していない状態で、検出部５０３が第２操作ＱＰ２を検出すればよい。
【００５７】
次に、図３〜図８を参照して、制御部５の処理について説明する。図８は、制御部５の処理の一例を示すフローチャートである。
図８に示すように、まず、ステップＳ１０１において、受付部５０１が、第１操作ＱＰ１を受け付けたか否かを判定する。第１操作ＱＰ１は、第２条件Ｃ２の設定値を第１設定値Ｖ１から第２設定値Ｖ２に変更する旨の操作を示す。
第１操作ＱＰ１を受け付けていないと受付部５０１が判定した場合（ステップＳ１０１でＮＯ）には、処理がステップＳ１１７に進む。第１操作ＱＰ１を受け付けたと受付部５０１が判定した場合（ステップＳ１０１でＹＥＳ）には、処理がステップＳ１０３に進む。
そして、ステップＳ１０３において、表示制御部５０２は、第２条件Ｃ２の設定値を第１設定値Ｖ１から第２設定値Ｖ２に変更する旨のメッセージをディスプレー４１１に表示する。例えば、表示制御部５０２は、図５に示すメッセージ表示部ＭＧをディスプレー４１１に表示する。
【００５８】
次に、ステップＳ１０５において、検出部５０３が、第２操作ＱＰ２を検出したか否かを判定する。第２操作ＱＰ２は、リセットキー４２１を押下する操作を示す。
第２操作ＱＰ２を検出したと検出部５０３が判定した場合（ステップＳ１０５でＹＥＳ）には、処理がステップＳ１０９に進む。
そして、ステップＳ１０９において、設定制御部５０４は、第２条件Ｃ２の設定値を第２設定値Ｖ２から第１設定値Ｖ１に戻す。その後、処理が終了する。
第２操作ＱＰ２を検出していないと検出部５０３が判定した場合（ステップＳ１０５でＮＯ）には、処理がステップＳ１０７に進む。
そして、ステップＳ１０７において、受付部５０１が第３操作ＱＰ３を受け付けたか否かを判定する。第３操作ＱＰ３は、第１操作ＱＰ１及び第２操作ＱＰ２と相違する。第３操作ＱＰ３は、例えばコピー設定画面６００を印刷する操作を示す。
第３操作ＱＰ３を受け付けていないと受付部５０１が判定した場合（ステップＳ１０７でＮＯ）には、処理がステップＳ１１１に進む。
【００５９】
そして、ステップＳ１１１において、表示制御部５０２は、第２設定値Ｖ２に変更する旨のメッセージをディスプレー４１１に表示した時点から所定期間ＰＡが経過したか否かを判定する。
所定期間ＰＡが経過していないと表示制御部５０２が判定した場合（ステップＳ１１１でＮＯ）には、処理がステップＳ１０５に戻る。所定期間ＰＡが経過したと表示制御部５０２が判定した場合（ステップＳ１１１でＹＥＳ）には、処理がステップＳ１１３に進む。
そして、ステップＳ１１３において、表示制御部５０２は、第２設定値Ｖ２に変更する旨のメッセージを非表示にする。例えば、表示制御部５０２は、図５に示すメッセージ表示部ＭＧを非表示にする。
次に、ステップＳ１１５において、設定制御部５０４は、第２条件Ｃ２の設定値を第１設定値Ｖ１から第２設定値Ｖ２に変更する。
【００６０】
次に、ステップＳ１１７において、検出部５０３が、第２操作ＱＰ２を検出したか否かを判定する。
第２操作ＱＰ２を検出していないと検出部５０３が判定した場合（ステップＳ１１７でＮＯ）には、処理が終了する。第２操作ＱＰ２を検出したと検出部５０３が判定した場合（ステップＳ１１７でＹＥＳ）には、処理がステップＳ１１９に進む。
そして、ステップＳ１１９において、設定制御部５０４は、第１条件Ｃ１〜第４条件Ｃ４の各々の設定値を初期値Ｖ０に変更する。例えば、第１条件Ｃ１〜第４条件Ｃ４の各々の設定値を第１設定値Ｖ１に変更する。その後、処理が終了する。
【００６１】
以上、図３〜図８を参照して説明したように、本発明の実施形態では、第３操作ＱＰ３を受付部５０１が受け付けた場合に、設定制御部５０４は、第１設定値Ｖ１を第２設定値Ｖ２に変更する。第３操作ＱＰ３は、第１操作ＱＰ１及び第２操作ＱＰ２と相違する。よって、ユーザーは第３操作ＱＰ３を行うことによって、第２条件Ｃ２の設定値を第１設定値Ｖ１から第２設定値Ｖ２に変更できる。したがって、設定値を変更する操作における操作性をさらに向上できる。
【００６２】
なお、表示制御部５０２がメッセージをディスプレー４１１に表示している状態で、例えば、第３操作ＱＰ３を受付部５０１が１回受け付けた場合に、設定制御部５０４は、第１設定値Ｖ１を第２設定値Ｖ２に変更してもよい。さらに、表示制御部５０２がメッセージをディスプレー４１１に表示している状態で、例えば、第３操作ＱＰ３を受付部５０１が２回以上受け付けた場合に、設定制御部５０４は、第１設定値Ｖ１を第２設定値Ｖ２に変更しないようにしてもよい。
【００６３】
また、第１操作ＱＰ１は、コピー設定画面６００に表示された第１条件Ｃ１〜第４条件Ｃ４のうちの１つの条件（例えば、第２条件Ｃ２）の設定値を、第１設定値Ｖ１から第２設定値Ｖ２に変更する旨の操作を示す。よって、複数の設定項目（例えば、第１条件Ｃ１〜第４条件Ｃ４）の設定値を容易に変更できる。したがって、設定値を変更する操作における操作性をさらに向上できる。
【００６４】
なお、本発明の実施形態では、第３操作ＱＰ３が、例えばコピー設定画面６００を印刷する操作を示すが、本発明はこれに限定されない。第３操作ＱＰ３は、第１操作ＱＰ１及び第２操作ＱＰ２と相違する操作であればよい。例えば、第３操作ＱＰ３が、第３条件Ｃ３の設定値を第１設定値Ｖ１から第２設定値Ｖ２に変更する操作でもよい。この場合には、ステップＳ１１３及びステップＳ１１５の処理が終了した後にステップＳ１０３に戻る。そして、ステップＳ１０３において、表示制御部５０２は、第３条件Ｃ３の設定値を第１設定値Ｖ１から第２設定値Ｖ２に変更する旨のメッセージをディスプレー４１１に表示する。
【００６５】
このようにして、第１条件Ｃ１〜第４条件Ｃ４の各々の設定値を順次変更する第１操作ＱＰ１を行うことによって、第１条件Ｃ１〜第４条件Ｃ４の各々の設定値を変更できる。したがって、設定値を変更する操作における操作性をさらに向上できる。
【００６６】
なお、本発明の実施形態では、コピー設定画面６００に第１条件Ｃ１〜第４条件Ｃ４の各々に対応する設定値（４つの設定項目の各々の設定値）が表示されるが、本発明はこれに限定されない。コピー設定画面６００に複数の設定項目の各々の設定値を表示すればよい。コピー設定画面６００に、例えば２つの設定項目の各々の設定値を表示してもよいし、例えば３つの設定項目の各々の設定値を表示してもよい。また、例えば、コピー設定画面６００に、５つ以上の設定項目の各々の設定値を表示してもよい。
【００６７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６８】
（１）図１を参照して説明したように、本発明の実施形態では、電子機器が画像形成装置１００であるが、本発明はこれに限定されない。電子機器がディスプレー４１１と、複数のキー４２と、制御部５とを備えればよい。電子機器が、例えば、ＤＶＤ（Ｄｉｇｉｔａｌ  Ｖｅｒｓａｔｉｌｅ  Ｄｉｓｃ）プレイヤーでもよいし、テレビ受像機でもよい。
【００６９】
（２）図１及び図２を参照して説明したように、本発明の実施形態では、表示制御装置が画像形成装置１００に配置されるが、本発明はこれに限定されない。表示制御装置が電子機器に配置されればよい。
【産業上の利用可能性】
【００７０】
本発明は、表示制御装置、及び電子機器の分野に利用可能である。
【図１】
0006947301.tif 000002
【図２】
0006947301.tif 000003
【図３】
0006947301.tif 000004
【図４】
0006947301.tif 000005
【図５】
0006947301.tif 000006
【図６】
0006947301.tif 000007
【図７】
0006947301.tif 000008
【図８】
0006947301.tif 000009